(57)【特許請求の範囲】
【請求項１】
酸化剤ガスと燃料ガスとを電気化学反応させて発電する燃料電池（２）と、
前記燃料電池（２）を冷却する熱媒体を前記燃料電池（２）に供給する熱媒体回路（３）と、
空調用空気と前記熱媒体とを熱交換させる熱交換器（４１）と、
前記熱媒体の温度（Ｔｗ）を検出する熱媒体温度検出手段（３６）と、
前記燃料電池（２）に供給される前記酸化剤ガスの流量（Ｇａ）を検出する酸化剤ガス流量検出手段（Ｓ５）と、
前記熱媒体回路（３）から前記熱交換器（４１）への前記熱媒体の供給を遮断または許容する制御弁（４２）と、
前記熱媒体温度検出手段（３６）により検出された前記熱媒体の温度（Ｔｗ）が予め定めた基準熱媒体温度（Ｔｗ１）以上である場合に、前記制御弁（４２）を開弁させる熱媒体供給手段（Ｓ３）と、
前記熱媒体温度検出手段（３６）により検出される前記熱媒体の温度（Ｔｗ）が前記基準熱媒体温度（Ｔｗ１）を下回っている場合に、前記燃料電池（２）に通常運転時よりも発電効率の低い低効率発電を行わせて前記燃料電池（２）から放出される熱を増加させる放熱量増加手段（Ｓ９）と、
前記放熱量増加手段（Ｓ９）による前記低効率発電によって前記燃料電池（２）から放出される熱を増加させる際に、前記酸化剤ガス流量検出手段（Ｓ５）により検出された前記酸化剤ガス流量（Ｇａ）が予め定めた基準酸化剤ガス流量（Ｇａ１）以下である場合は、前記燃料電池（２）の発電量を増加させることにより前記燃料電池（２）に供給される前記酸化剤ガスの流量（Ｇａ）を増加させる酸化剤ガス流量増加手段（Ｓ７）とを備えることを特徴とする燃料電池車両用空調装置。
【請求項２】
前記酸化剤ガス流量増加手段（Ｓ７）は、前記燃料電池（２）の作動に関与する電動式補機（３３、４３）を作動させるための補機動力を増加させることにより、前記燃料電池（２）の発電量を増加させることを特徴とする請求項１に記載の燃料電池車両用空調装置。
【請求項３】
さらに、前記燃料電池（２）から電力供給を受けて充電可能な電力貯蔵手段（２４）と、
前記酸化剤ガス流量増加手段（Ｓ７）により増加された前記燃料電池（２）の発電量に相当する電力を前記電力貯蔵手段（２４）へ充電させる充電制御手段（Ｓ８）とを備えることを特徴とする請求項１または２に記載の燃料電池車両用空調装置。
【発明の詳細な説明】
【技術分野】
【０００１】
本発明は、燃料電池車両に適用される燃料電池車両用空調装置に関するものである。
【背景技術】
【０００２】
従来、燃料電池システムを用いる燃料電池車両の空調装置には、燃料電池を冷却した高温の冷却水の熱を車室内暖房用のヒータコアに供給することで、暖房効果を向上させているものがある。このような燃料電池車両用空調装置では、冷却水の温度が低下した場合、ヒータコアへの冷却水の供給を制限するとともに、別途設けられた電気ヒータ等の加熱手段によって冷却水を加熱する必要があった。
【０００３】
これに対し、特許文献１には、冷却水の温度を検出する冷却水温度センサを設け、当該冷却水温度センサにより検出された冷却水温度が所定温度以下になった場合に、燃料電池から放出される熱を増加させる燃料電池車両用空調装置が開示されている。特許文献１では、燃料電池から放出される熱を増加させる手段として、空気（酸化剤ガス）ストイキ比を通常運転時より小さく設定し、電力損失を大きくして燃料電池の温度を上昇させている。
【０００４】
なお、空気ストイキ比とは、燃料電池で消費される空気量に対する燃料電池に供給する空気量の比である。
【先行技術文献】
【特許文献】
【０００５】
【特許文献１】特開２００９−１１３５３９号公報
【発明の概要】
【発明が解決しようとする課題】
【０００６】
しかしながら、上記特許文献１に記載の発明では、燃料電池から放出される熱を増加させるために空気ストイキ比を通常運転時より小さくするので、空気流量が少なくなり、燃料電池の発電により生じた生成水を空気の流れにより押し出すことができない虞がある。そして、燃料電池内に滞留した生成水がセパレータで形成された流路を閉塞すると、フラッディングと呼ばれる状態となって空気の流通が阻害され、燃料電池の出力が低下してしまう。
【０００７】
本発明は上記点に鑑みて、燃料電池のフラッディングを抑制しつつ、燃料電池の排熱により効率よく暖房を行うことができる燃料電池車両用空調装置を提供することを目的とする。
【課題を解決するための手段】
【０００８】
上記目的を達成するため、請求項１に記載の発明では、酸化剤ガスと燃料ガスとを電気化学反応させて発電する燃料電池（２）と、燃料電池（２）を冷却する熱媒体を燃料電池（２）に供給する熱媒体回路（３）と、空調用空気と熱媒体とを熱交換させる熱交換器（４１）と、熱媒体の温度（Ｔｗ）を検出する熱媒体温度検出手段（３６）と、燃料電池（２）に供給される酸化剤ガスの流量（Ｇａ）を検出する酸化剤ガス流量検出手段（Ｓ５）と、熱媒体回路（３）から熱交換器（４１）への熱媒体の供給を遮断または許容する制御弁（４２）と、熱媒体温度検出手段（３６）により検出された熱媒体の温度（Ｔｗ）が予め定めた基準熱媒体温度（Ｔｗ１）以上である場合に、制御弁（４２）を開弁させる熱媒体供給手段（Ｓ３）と、熱媒体温度検出手段（３６）により検出される熱媒体の温度（Ｔｗ）が基準熱媒体温度（Ｔｗ１）を下回っている場合に、燃料電池（２）に通常運転時よりも発電効率の低い低効率発電を行わせて燃料電池（２）から放出される熱を増加させる放熱量増加手段（Ｓ９）と、放熱量増加手段（Ｓ９）による低効率発電によって燃料電池（２）から放出される熱を増加させる際に、酸化剤ガス流量検出手段（Ｓ５）により検出された酸化剤ガス流量（Ｇａ）が予め定めた基準酸化剤ガス流量（Ｇａ１）以下である場合に、燃料電池（２）の発電量を増加させることにより燃料電池（２）に供給される酸化剤ガスの流量（Ｇａ）を増加させる酸化剤ガス流量増加手段（Ｓ７）とを備えることを特徴とする。
【０００９】
これによれば、熱媒体の温度（Ｔｗ）が低下した場合には、放熱量増加手段（Ｓ９）により燃料電池（２）に通常運転時よりも発電効率の低い低効率発電を行わせて燃料電池（２）から放出される熱を増加させることができるので、燃料電池（２）の排熱により効率よく暖房を行うことができる。また、放熱量増加手段（Ｓ９）により燃料電池（２）から放出される熱を増加させる場合に、燃料電池（２）に供給される酸化剤ガス流量（Ｇａ）が少ないときには、酸化剤ガス流量増加手段（Ｓ７）により燃料電池（２）の発電量を増加させることで、燃料電池（２）に供給される酸化剤ガスの流量（Ｇａ）を増加させることができる。このため、燃料電池（２）の発電により生じた生成水を酸化剤ガスの流れにより燃料電池（２）外へ押し出すことができる。したがって、燃料電池（２）のフラッディングを抑制しつつ、燃料電池（２）の排熱により効率よく暖房を行うことが可能となる。
【００１１】
また、請求項２に記載の発明では、請求項１に記載の燃料電池車両用空調装置において、酸化剤ガス流量増加手段（Ｓ７）は、燃料電池（２）の作動に関与する電動式補機（３３、４３）を作動させるための補機動力を増加させることにより、燃料電池（２）の発電量を増加させることを特徴とする。
【００１２】
これによれば、酸化剤ガス流量増加手段（Ｓ７）により増加された燃料電池（２）の発電量に相当する電力を、電動式補機（３３、４３）に消費させることができる。
【００１３】
また、請求項３に記載の発明では、請求項１または２に記載の燃料電池車両用空調装置において、さらに、燃料電池（２）から電力供給を受けて充電可能な電力貯蔵手段（２４）と、酸化剤ガス流量増加手段（Ｓ７）により増加された燃料電池（２）の発電量に相当する電力を電力貯蔵手段（２４）へ充電させる充電制御手段（Ｓ８）とを備えることを特徴とする。
【００１４】
これによれば、酸化剤ガス流量増加手段（Ｓ７）により増加された燃料電池（２）の発電量に相当する電力を電力貯蔵手段（２４）へ充電させることができるので、燃料電池（２）で発電された電力を無駄なく使用することができる。
【００１５】
なお、この欄および特許請求の範囲で記載した各手段の括弧内の符号は、後述する実施形態に記載の具体的手段との対応関係を示すものである。
【図面の簡単な説明】
【００１６】
【図１】本発明の実施形態に係る燃料電池自動車用空調装置を示す全体構成図である。
【図２】燃料電池車両用空調装置の電気制御部を示すブロック図である。
【図３】燃料電池車両用空調装置の制御処理を示すフローチャートである。
【図４】燃料電池の電流−電圧特性を示す特性図である。
【図５】燃料電池車両用空調装置の作動を説明する特性図である。
【図６】図５の動作点Ａ〜Ｃにおける供給空気流量、燃料電池発電量および燃料電池発熱量を示す特性図である。
【発明を実施するための形態】
【００１７】
以下、本発明の一実施形態について図１〜図６に基づいて説明する。図１は、本実施形態に係る燃料電池自動車用空調装置を示す全体構成図である。この燃料電池自動車用空調装置は、電気自動車の一種である、いわゆる燃料電池車両に適用されており、車両走行用電動モータ等の電気負荷に電力を供給するものである。
【００１８】
図１に示すように、燃料電池車両用空調装置１は、空気（酸化剤ガス）と水素（燃料ガス）との電気化学反応により電力を発生する燃料電池２と、燃料電池２に冷却水（熱媒体）を循環供給する冷却水循環回路３とを備えている。
【００１９】
燃料電池２は、空気および水素の供給を受けて発電する複数の単セルを積層したスタック構造により構成されている。燃料電池２にて生じた直流の電力の一部は、インバータ２１を介して交流電流に変換されて車両走行用電動モータ２２等の各種電気負荷に供給される。また、燃料電池２にて生じた直流の電力の一部は、ＤＣ／ＤＣコンバータ２３によって昇降圧され、電力貯蔵手段である二次電池２４に充電される。
【００２０】
冷却水循環回路３は、冷却水を燃料電池２および後述するラジエータ３５に循環供給する冷却水循環流路３１と、冷却水のラジエータ３５への流入を回避させるバイパス流路３２と、冷却水を冷却水循環流路３１やバイパス流路３２に循環させる冷却水循環ポンプ３３と、冷却水を循環させる流路を制御する電気式の三方弁３４とを備えている。
【００２１】
冷却水循環流路３１には、送風ファン３５ａから送風された送風空気と冷却水とを熱交換させて冷却水を放熱させる放熱用熱交換器としてのラジエータ３５が設けられている。また、冷却水循環流路３１のうち燃料電池２の出口側には、冷却水温度Ｔｗを検出する冷却水温度センサ３６が設けられている。
【００２２】
冷却水循環ポンプ３３は、冷却水循環回路３において冷却水を燃料電池２へ圧送する電動式のポンプであり、後述する制御装置５から出力される制御信号によって回転数（流量）が制御される。
【００２３】
三方弁３４は、冷却水循環流路３１とバイパス流路３２とを切り替える回路切替手段である。この三方弁４２は、制御装置５から出力される制御電圧によって、その作動が制御される。
【００２４】
具体的には、三方弁３４は、第一入口、第二入口および出口を形成する三つの弁を有する。三方弁３４の第一入口は、ラジエータ３５の出口側に冷却水循環流路３１を介して接続されており、三方弁３４の第二入口は、バイパス流路３２の出口に接続されている。三方弁３４の出口は冷却水循環ポンプ３３の入口側に冷却水循環流路３１を介して接続されている。
【００２５】
そして、三方弁３４は、冷却水の温度が低い場合（例えば、燃料電池２の暖機が必要な場合）には、第一入口が閉弁され、第二入口が開弁される。これにより、冷却水がラジエータ３５を経由することなくバイパス流路３２を通って循環するため、冷却水の温度が上昇する。一方、冷却水の温度が高い場合（例えば、燃料電池２が安定して運転できる上限温度を超える場合）には、第一入口を開弁し、第二入口を閉弁する。これにより、冷却水がラジエータ３５によって冷却されるため、冷却水の温度が低下する。
【００２６】
冷却水循環流路３１には、ヒータコア４１に冷却水を供給するヒータコア循環流路４が接続されている。冷却水循環流路３１から分岐したヒータコア循環流路４には、シャットバルブ４２およびヒータコア用循環ポンプ４３とが設けられている。シャットバルブ４２、ヒータコア用循環ポンプ４３およびヒータコア４１は、ヒータコア循環流路４の冷却水流れ上流側から、この順に配置されている。
【００２７】
ヒータコア４１は、送風機（図示せず）により送風された送風空気（空調用空気）と冷却水とを熱交換させて、送風空気を加熱する加熱用熱交換器である。シャットバルブ４２は、冷却水循環流路３１からヒータコア４１への冷却水の供給を遮断または許容する電気式の制御弁であり、制御装置５から出力される制御電圧によって、その作動が制御される。ヒータコア用循環ポンプ４３は、冷却水をヒータコア循環流路４に循環させる電動式のポンプであり、制御装置５から出力される制御信号によって回転数（流量）が制御される。
【００２８】
次に、図２により、本実施形態の電気制御部について説明する。図２は、本実施形態に係る燃料電池車両用空調装置の電気制御部を示すブロック図である。
【００２９】
図２に示すように、制御装置５は、ＣＰＵ、ＲＯＭおよびＲＡＭ等を含む周知のマイクロコンピュータとその周辺回路から構成され、そのＲＯＭ内に記憶された空調制御プログラムに基づいて各種演算、処理を行い、出力側に接続された各種機器の作動を制御する。
【００３０】
制御装置５の出力側には、インバータ２１、ＤＣ／ＤＣコンバータ２３、冷却水循環ポンプ３３、三方弁３４、送風ファン３５ａ、シャットバルブ４２、ヒータコア用循環ポンプ４３等が接続されている。
【００３１】
また、制御装置５の入力側には、燃料電池２の出力電流を検出する電流センサ２５、燃料電池２の出力電圧を検出する電圧センサ２６、燃料電池２の出口側の冷却水温度Ｔｗを検出する冷却水温度センサ３６等が接続されている。
【００３２】
なお、制御装置５は、その出力側に接続された各種制御対象機器を制御する制御手段が一体に構成されたものであるが、それぞれの制御対象機器の作動を制御する構成（ハードウェアおよびソフトウェア）が、それぞれの制御対象機器の作動を制御する制御手段を構成している。
【００３３】
次に、図３により、上記構成における本実施形態の燃料電池車両用空調装置１の作動を説明する。図３は、本実施形態に係る燃料電池車両用空調装置１の制御処理を示すフローチャートである。この制御処理は、燃料電池車両用空調装置１の作動スイッチ（図示せず）が投入された状態で、暖房スイッチ（図示せず）が投入されるとスタートする。
【００３４】
まず、ステップＳ１では、冷却水温度センサ３６により燃料電池２の出口側の冷却水温度（以下、出口側冷却水温度Ｔｗともいう）を検出する。続いて、ステップＳ２では、ステップＳ１で検出された出口側冷却水温度Ｔｗが、予め定めた暖房要求冷却水温度Ｔｗ１を下回っているか否か判定する。
【００３５】
ステップＳ２にて、燃料電池２の出口側冷却水温度Ｔｗが暖房要求冷却水温度Ｔｗ１を下回っていない、すなわち暖房要求冷却水温度Ｔｗ１以上になっていると判定された場合には、冷却水温度が充分に高くなっていると判断し、ステップＳ３に進み、シャットバルブ４２を開弁する。これにより、高温の冷却水がヒータコア循環流路４を介してヒータコア４１に流入するので、送風空気を充分に加熱でき、充分な暖房を実現することができる。
【００３６】
一方、ステップＳ２にて、出口側冷却水温度Ｔｗが暖房要求冷却水温度Ｔｗ１を下回っていると判定された場合には、冷却水温度が充分に高くなっていないと判断し、ステップＳ４に進む。ステップＳ４では、燃料電池２の動作点を算出する。
【００３７】
ここで、燃料電池２の動作点とは、必要とする電力量、および、出口側冷却水温度Ｔｗを暖房要求冷却水温度Ｔｗ１以上とするために必要な燃料電池２の発熱量（以下、必要発熱量Ｃｎという）の双方を満足させる燃料電池２の目標電圧値Ｖｏおよび目標電流値Ｉｏをいう。
【００３８】
次のステップＳ５では、燃料電池２に供給される空気の流量（以下、供給空気流量Ｇａともいう）を算出する。供給空気流量Ｇａは、ステップＳ４にて算出された目標電流値Ｉｏに基づいて算出することができる。
【００３９】
具体的には、まず、燃料電池２の出力電流値を目標電流値Ｉｏとする際に必要となる空気の理論供給量Ｖａを算出する。理論空気流量Ｖａ（ｍｏｌ／ｓ）は下記数式Ｆ１により算出される。
Ｖａ＝Ｉｏ×Ｓ／２／Ｆ…（Ｆ１）
ここで、Ｓは燃料電池２のセルの枚数、Ｆはファラデー定数（９６４８５Ｃ／ｍｏｌ）である。
【００４０】
続いて、供給空気流量Ｇａを算出する。供給空気流量Ｇａ（ｍｏｌ／ｓ）は下記数式Ｆ２により算出される。
Ｇａ＝Ｖａ×Ｓｔ…（Ｆ２）
ここで、Ｓｔは空気のストイキ比である。この空気のストイキ比Ｓｔは、燃料電池２の出力電流および出力電圧に基づいて、予め制御装置５に記憶されているマップを参照して決定する。
【００４１】
続くステップＳ６では、ステップＳ５にて算出された供給空気流量Ｇａが、予め定めた基準空気流量Ｇａ１を上回っているか否かを判定する。ステップＳ６にて、供給空気流量Ｇａが基準空気流量Ｇａ１を上回っていない、すなわち基準空気流量Ｇａ１以下になっていると判定された場合は、燃料電池２に供給される空気流量が不足していると判断され、ステップＳ７に進む。
【００４２】
ステップＳ７では、燃料電池２の発電量を増加させることにより、燃料電池２に供給される空気流量を増加させる。ここで、ステップＳ７における燃料電池２の電力増加量は、供給空気流量Ｇａが基準空気流量Ｇａ１を上回るようにすること、および、燃料電池２の発熱量を必要発熱量Ｃｎ以上にすることの双方を満足させるために必要な電力量に設定される。
【００４３】
図４は、本実施形態における燃料電池２の電流−電圧特性を示す特性図である。図４中の破線は必要発熱量Ｃｎを示す必要発熱量曲線であり、必要発熱量Ｃｎが大きい程、図４における下方側に移動するものである。また、図４中の一点鎖線は基準空気流量Ｇａ１を示す基準空気流量直線であり、図４における基準空気流量直線の左側の領域では空気流量不足が発生することを表している。
【００４４】
ステップＳ７における燃料電池２の電力増加量は、図４のグラフにおいて、必要発熱量曲線と基準空気流量直線との交点Ｘにおける電流値および電圧値から算出される電力量に設定される。
【００４５】
続くステップＳ８では、ステップＳ７にて増加された燃料電池２の発電量に相当する電力を二次電池２４に充電させ、ステップＳ４に戻る。
【００４６】
また、ステップＳ６にて、供給空気流量Ｇａが基準空気流量Ｇａ１を上回っていると判定された場合は、燃料電池２に供給される空気流量が不足していないと判断され、ステップＳ９に進む。
【００４７】
ステップＳ９では、燃料電池２に発電効率の低い運転（以下、低効率発電という）を行わせ、ステップＳ２に戻る。燃料電池２に低効率発電を行わせると、燃料電池２から放出される熱を増加させることができる。
【００４８】
具体的には、空気のストイキ比Ｓｔを通常運転時（Ｓｔ＝１．５〜２．０）より小さく設定（Ｓｔ＝１．０〜１．２）する。これにより、水素と酸素との反応によって取り出せるエネルギーのうち、電力損失分（すなわち熱損失分）が積極的に増大されるため、燃料電池２から放出される熱を増加させることができる。  このように、燃料電池２から放出される熱を増加させると、燃料電池２からの排熱を吸収する冷却水の温度を上昇させることができる。
【００４９】
また、他の方法としては、燃料電池２の出力電流を維持させながら、出力電圧をＤＣ／ＤＣコンバータ２３で降圧させる。これにより、同じ燃料消費量で、出力電圧を低下させることができるため、その分、燃料電池２に低効率発電を行わせることができ、燃料電池２から放出される熱を増大させることができる。
【００５０】
続いて、本実施形態の燃料電池車両用空調装置１の作動について、図５および図６を参照してより詳細に説明する。図５は燃料電池車両用空調装置１の作動を説明する特性図で、図６は図５の動作点Ａ〜Ｃにおける供給空気流量Ｇａ、燃料電池発電量および燃料電池発熱量を示す特性図である。なお、図５中の点線は、燃料電池２のセルの出力電力が等しくなる等電力曲線である。
【００５１】
図５中、点Ａは通常発電時（通常運転時）の動作点を示し、点Ｂは燃料電池２の発電量を変更せずに低効率発電時を行った際の動作点を示し、点Ｃは燃料電池２の発電量を増加しつつ低効率発電を行った際の動作点を示している。
【００５２】
燃料電池２の発熱量を増加させるために低効率発電を行うと、動作点が図５中の点Ａから点Ｂへ移動する。このとき、図６に示すように、燃料電池２の発熱量を必要発熱量Ｃｎ以上とすることはできるが、供給空気流量Ｇａは通常運転時より減少し、基準空気流量Ｇａ１を下回る。このため、燃料電池２の生成水を空気流れにより押し出す（除去する）ことができず、フラッディングが発生してしまう。
【００５３】
これに対し、燃料電池２の発熱量を増加させるために低効率発電を行いつつ、燃料電池２の発電量を増加させると、動作点が点Ａから点Ｃへ移動する。このとき、図６に示すように、燃料電池２の発熱量を必要発熱量Ｃｎ以上とするとともに、供給空気流量Ｇａも基準空気流量Ｇａ１以上とすることができる。これにより、燃料電池２の生成水を空気流れにより押し出すことが可能となる。
【００５４】
以上説明したように、出口側冷却水温度Ｔｗが低下して充分な暖房を行うことができない場合には、低効率発電を行うことにより燃料電池２から放出される熱を増加させることができるので、燃料電池２の排熱により効率よく暖房を行うことができる。また、低効率発電を行って燃料電池２から放出される熱を増加させる場合において、燃料電池２の供給空気流量Ｇａが少ないときには、燃料電池２の発電量を増加させることにより供給空気流量Ｇａを増加させることができる。このため、燃料電池２の発電により生じた生成水を空気流れにより燃料電池２外へ押し出すことができる。したがって、燃料電池２のフラッディングを抑制しつつ、燃料電池２の排熱により効率よく暖房を行うことが可能となる。
【００５５】
ところで、空気のストイキ比Ｓｔを通常運転時より小さく設定することにより低効率発電を行う場合、燃料電池２の供給空気流量Ｇａが通常運転時より低下するので、フラッディングが発生し易くなる。したがって、空気のストイキ比Ｓｔを通常運転時より小さく設定することにより低効率発電を行う場合に、燃料電池２の発電量を増加させて供給空気流量Ｇａを増加させることは、特に効果的である。
【００５６】
また、本実施形態では、供給空気流量を増加させるために燃料電池２の発電量を増加させた場合に、増加された燃料電池２の発電量に相当する電力を二次電池２４へ充電させることができるので、燃料電池２で発電された電力を無駄なく使用することができる。
【００５７】
なお、図３中に示したステップは、各種処理を実行する手段に対応するものである。すなわち、ステップＳ５の処理を実行する部分は空気（酸化剤ガス）流量検出手段、ステップＳ３の処理を実行する部分は冷却水（熱媒体）供給手段、ステップＳ９の処理を実行する部分は放熱量増加手段、ステップＳ７の処理を実行する部分は空気（酸化剤ガス）流量増加手段に相当する。
【００５８】
（他の実施形態）
本発明は上述の実施形態に限定されることなく、本発明の趣旨を逸脱しない範囲内で、以下のように種々変形可能である。
【００５９】
（１）上記実施形態では、ステップＳ７にて燃料電池２の発電量を増加させた場合に、増加された燃料電池２の発電量に相当する電力を二次電池２４へ充電させた例について説明したが、これに限定されない。例えば、冷却水循環ポンプ３３、ヒータコア用循環ポンプ４３、燃料電池２の余剰水素を循環させる水素ポンプ（図示せず）等の電動式補機の補機動力を増加させることで、ステップＳ７にて増加された燃料電池２の発電量に相当する電力を消費させてもよい。
【００６０】
（２）上記実施形態では、冷却水循環流路３１とバイパス流路３２とを切り替える回路切替手段として、電気式の三方弁３４を採用した例を説明したが、回路切替手段はこれに限定されない。例えば、サーモスタット弁を採用してもよい。サーモスタット弁は、温度によって体積変化するサーモワックス（感温部材）によって弁体を変位させて冷却水通路を開閉する機械的機構で構成される冷却水温度応動弁である。
【符号の説明】
【００６１】
２    燃料電池
２４  二次電池（電力貯蔵手段）
３６  冷却水温度センサ（熱媒体温度検出手段）
４１  ヒータコア（熱交換器）
４２  シャットバルブ（制御弁）
【図１】
0005742481.tif 000002
【図２】
0005742481.tif 000003
【図３】
0005742481.tif 000004
【図４】
0005742481.tif 000005
【図５】
0005742481.tif 000006
【図６】
0005742481.tif 000007